(57)【特許請求の範囲】
【請求項１】
複数の個人が入退室する室内を照らす複数の照明器具を制御する照明制御システムにおいて、
室内における個人の作業領域ごとに、前記複数の照明器具が消灯した状態から前記複数の照明器具を個人の作業領域の中心に近い順に１つずつ点灯させ一旦点灯させた照明器具を消灯させない場合に、当該個人の作業領域の照度が所定の照度以上となるときの点灯中の照明器具を特定し、個人ごとに、特定した照明器具を個人と対応付ける個人照明情報を生成する情報処理装置と、
各個人を一意に識別する個人識別情報と、前記情報処理装置により生成された個人照明情報とを記憶する記憶装置と、
個人識別情報の入力を受け付ける入力装置と、
前記入力装置により入力が受け付けられた個人識別情報を前記記憶装置に記憶された個人識別情報と照合することで、個人を識別し、当該個人が入退室したと判断する入退室管理部と、前記記憶装置に記憶された個人照明情報を参照することで、前記入退室管理部により入退室したと判断された個人に対応する照明器具を特定する照明特定部と、前記照明特定部により特定された照明器具に対して所定の制御を行う照明制御部とを有する制御装置とを備えることを特徴とする照明制御システム。
【請求項２】
前記記憶装置は、さらに、各個人の在室状況を示す個人在室情報を記憶し、
前記入退室管理部は、個人を識別した場合、前記記憶装置に記憶された個人在室情報を参照することで、当該個人が入室したのか退室したのかを判断するとともに、前記記憶装置に記憶された個人在室情報を更新し、
前記照明制御部は、前記入退室管理部により個人が入室したと判断された場合、当該個人の作業領域の照度が予め定められた第１の照度となるように、前記照明特定部により特定された照明器具を調光し、前記入退室管理部により個人が退室したと判断された場合、当該個人の作業領域の照度が予め第１の照度より低く定められた第２の照度となるように、前記照明特定部により特定された照明器具を調光することを特徴とする請求項１に記載の照明制御システム。
【請求項３】
前記記憶装置は、さらに、各個人の在室状況を示す個人在室情報を記憶し、
前記入退室管理部は、個人を識別した場合、前記記憶装置に記憶された個人在室情報を参照することで、当該個人が入室したのか退室したのかを判断するとともに、前記記憶装置に記憶された個人在室情報を更新し、
前記照明制御部は、前記入退室管理部により個人が入室したと判断された場合、前記照明特定部により特定された照明器具を点灯させ、前記入退室管理部により個人が退室したと判断された場合、前記照明特定部により特定された照明器具を消灯させることを特徴とする請求項１に記載の照明制御システム。
【請求項４】
前記情報処理装置は、室内における個人の作業領域ごとに、前記複数の照明器具が消灯した状態から前記複数の照明器具を個人の作業領域の中心に近い順に１つずつ点灯させるシミュレーション処理を実行し、当該シミュレーション処理にて当該個人の作業領域の照度が所定の照度以上となったときの点灯中の照明器具を特定することを特徴とする請求項１から３までのいずれかに記載の照明制御システム。
【請求項５】
前記情報処理装置は、
中央処理演算装置と、
室内における各個人の作業領域の位置を示す個人位置データと、各照明器具の位置を示す照明位置データと、各照明器具の配光特性を示す配光データとを記憶する記録媒体とを具備し、
前記記録媒体に記憶された個人位置データと照明位置データと配光データとに基づいて、室内における個人の作業領域ごとに、前記複数の照明器具が消灯した状態から前記複数の照明器具を個人の作業領域の中心に近い順に１つずつ点灯させた場合における当該個人の作業領域の照度を中央処理演算装置で計算し、計算した照度が所定の照度以上となるときの点灯中の照明器具を特定する照度計算部と、
個人照明情報として、個人ごとに、前記照度計算部により特定された照明器具を個人と対応付ける個人照明情報を中央処理演算装置で生成する情報生成部とを備えることを特徴とする請求項１から４までのいずれかに記載の照明制御システム。
【発明の詳細な説明】
【技術分野】
【０００１】
本発明は、照明制御システム（照明コントロールシステム）及び情報処理装置に関するものである。本発明は、特に、個別照明制御システムに関するものである。
【背景技術】
【０００２】
従来、室内を照らす照明器具を個別に制御する方法として、引き紐による点滅制御や、人感センサからの信号による点滅・調光制御を行うものがある。また、入退室管理装置が照明を連動制御する方法として、入退室する個人のＩＤカードからカードリーダにて読み込まれる情報を基にして点滅制御を行うものがある（例えば、特許文献１参照）。
【特許文献１】特開平５−２５０３７５号公報
【発明の開示】
【発明が解決しようとする課題】
【０００３】
引き紐による点滅制御は、手動制御であり、人間が操作を忘れてしまうことがあるため、確実性が低いという課題があった。また、引き紐が景観を損ねるという課題もあった。人感センサからの信号による点滅・調光制御は、自動制御であるが、人間の不在領域（エリア）でも人間が当該領域を通過する度に明暗を変化させてしまったり、人間がいる領域でも当該領域内で人間の動きがない場合に人間が不在であると誤判断してしまったりするという課題があった。また、人感センサを細かく設置する必要があるため、設置費用が高いという課題もあった。
【０００４】
カードリーダにて読み込まれる情報を基にした点滅制御は、建物の各階において最初の入室者があったときに該当階の照明を一括全点灯し、各階において最後の退室者があったときに該当階の照明を一括全消灯するなど、不必要な領域の照明を長時間にわたって点灯させることになってしまうため、不経済であるという課題があった。仮に、点灯する照明の数を限定しても、一部の領域の照度が低くなり、当該領域における個人の作業に支障をきたし、却って利便性が損なわれるという課題があった。
【０００５】
本発明は、例えば、個人の入室時に、当該室内を照らす複数の照明器具のうち一部に対して自動的に点灯・調光制御を行い、当該個人の作業領域を適切な明るさに調整することを目的とする。また、例えば、個人の退室時に、当該個人の作業領域を照らしていた照明器具に対して自動的に消灯（滅灯）・調光制御を行うことを目的とする。
【課題を解決するための手段】
【０００６】
本発明の一の態様に係る照明制御システムは、
室内を照らす複数の照明器具を制御する照明制御システムにおいて、
入退室する複数の個人の各々を一意に識別する個人識別情報と、前記複数の照明器具のうち、室内における各個人の作業領域を所定の照度以上となるように照らす少なくとも１つの照明器具を各個人と対応付ける個人照明情報とを記憶する記憶装置と、
個人識別情報の入力を受け付ける入力装置と、
前記入力装置により入力が受け付けられた個人識別情報を前記記憶装置に記憶された個人識別情報と照合することで、個人を識別し、当該個人が入退室したと判断する入退室管理部と、前記記憶装置に記憶された個人照明情報を参照することで、前記入退室管理部により入退室したと判断された個人に対応する照明器具を特定する照明特定部と、前記照明特定部により特定された照明器具に対して所定の制御を行う照明制御部とを有する制御装置とを備えることを特徴とする。
【発明の効果】
【０００７】
本発明の一の態様によれば、
記憶装置が、入退室する複数の個人の各々を一意に識別する個人識別情報と、室内を照らす複数の照明器具のうち、室内における各個人の作業領域を所定の照度以上となるように照らす少なくとも１つの照明器具を各個人と対応付ける個人照明情報とを記憶し、
制御装置の入退室管理部が、入力装置により入力が受け付けられた個人識別情報を記憶装置に記憶された個人識別情報と照合することで、個人を識別し、当該個人が入退室したと判断し、
制御装置の照明特定部が、記憶装置に記憶された個人照明情報を参照することで、制御装置の入退室管理部により入退室したと判断された個人に対応する照明器具を特定し、
制御装置の照明制御部が、制御装置の照明特定部により特定された照明器具に対して所定の制御を行うことにより、
例えば、個人の入室時に、上記複数の照明器具のうち一部に対して自動的に点灯・調光制御を行い、当該個人の作業領域を適切な明るさに調整することが可能となる。
【発明を実施するための最良の形態】
【０００８】
以下、本発明の実施の形態について、図を用いて説明する。
【０００９】
実施の形態１．
図１は、本実施の形態に係る照明制御システム１００の構成を示すブロック図である。図２は、照明制御システム１００の動作を示すフローチャートである。
【００１０】
照明制御システム１００は、例えば図３、図４に示すような建物内にある企業のオフィス２００（部屋）１室ずつに設置され、室内を照らす複数の照明器具２０１（例えば通信インバータ照明器具）を制御するシステムである。照明制御システム１００は、オフィス２００において例えば社員２０２（個人）が入退室する際に、社員２０２のカード２０３（例えばＩＣカード）からカードリーダ１１０（入力装置）で個人識別信号を読み取る。そして、照明制御システム１００は、この個人識別信号に連動して、社員２０２に影響する位置に設置された照明器具２０１の点滅・調光制御を制御ユニット１２０で行い、社員２０２の在・不在による明るさ調整をすることで、消費電力の削減を図る。
【００１１】
図１において、照明制御システム１００は、カードリーダ１１０、制御ユニット１２０を備える。制御ユニット１２０は、記憶装置１３０、制御装置１４０を具備する。
【００１２】
制御ユニット１２０の記憶装置１３０は、個人識別情報１３１、個人在室情報１３２、設定用ＰＣ３００（パーソナルコンピュータ、情報処理装置）により設定される個人照明情報１３３を記憶する。個人識別情報１３１は、オフィス２００において入退室する複数の社員２０２の各々を一意に識別する情報である。ここでは、個人識別情報１３１の例として、社員２０２の社員番号を用いることとする。個人在室情報１３２は、各社員２０２の在室状況を示す情報である。ここでは、個人在室情報１３２の例として、社員２０２がオフィス２００に入室した場合に値を真とし、社員２０２がオフィス２００から退室した場合に値を偽とするフラグデータ（以下、「在室フラグ」という）を用いることとする。在室フラグは各社員２０２の社員番号に対応付けて記憶装置１３０に記憶されるものとする。個人照明情報１３３は、上記複数の照明器具２０１のうち、室内における各社員２０２の作業領域（例えば机）を所定の照度（例えば７５０ルクス）以上となるように照らす少なくとも１つの照明器具２０１を各社員２０２と対応付ける情報である。ここでは、個人照明情報１３３の例として、１人の社員２０２に対し、その社員２０２の机の机上面を７５０ルクス以上で照らすために点灯する必要のある１つ以上の照明器具２０１の位置情報を示すデータ（以下、「照明設定データ」という）を用いることとする。上記所定の照度は、社員２０２ごとに設定してよい。つまり、照明設定データは、別の社員２０２に対して、その社員２０２の机の机上面を７５０ルクスとは異なる照度（例えば５００ルクス）以上で照らすために点灯する必要のある１つ以上の照明器具２０１の位置情報を示すものとすることができる。設定用ＰＣ３００による照明設定データの設定方法については後述する。上記在室フラグと同様に、照明設定データも各社員２０２の社員番号に対応付けて記憶装置１３０に記憶されるものとする。
【００１３】
制御ユニット１２０の制御装置１４０は、入退室管理部１４１、照明特定部１４２、照明制御部１４３を有する。
【００１４】
制御ユニット１２０は、マイクロコンピュータ（以下、「マイコン」という）などにより実装することができる。記憶装置１３０は、例えばマイコンに内蔵されるフラッシュメモリやＲａｎｄｏｍ・Ａｃｃｅｓｓ・Ｍｅｍｏｒｙなどからなる。制御装置１４０は、例えばマイコンに内蔵される中央処理演算装置（以下、「ＣＰＵ」という）やマイコンに接続される回路などからなる。制御装置１４０が有する入退室管理部１４１、照明特定部１４２、照明制御部１４３は、マイコンに内蔵されるＣＰＵにより実行されるプログラム、マイコンに接続される回路、あるいは、それらの組み合わせにより実装することができる。
【００１５】
図２において、カードリーダ１１０は、社員２０２のカード２０３から、その社員２０２の社員番号を示す個人識別信号を読み取り、制御ユニット１２０の制御装置１４０に対して、その個人識別信号を送信する（ステップＳ１０１）。つまり、ステップＳ１０１（入力ステップ）において、カードリーダ１１０は、社員２０２のカード２０３に記録された個人識別情報の入力を受け付け、当該個人識別情報を制御ユニット１２０の制御装置１４０に対して送信する。
【００１６】
制御装置１４０の入退室管理部１４１は、カードリーダ１１０から個人識別信号を受信し、個人識別信号で示された社員番号が記憶装置１３０に記憶されているかどうかを確認する（ステップＳ１０２）。その社員番号が記憶装置１３０に記憶されていない場合（ステップＳ１０２でＮＯ）、入退室管理部１４１は、何もしないか、あるいは、エラー信号をカードリーダ１１０に返信する。一方、個人識別信号で示された社員番号が記憶装置１３０に記憶されている場合（ステップＳ１０２でＹＥＳ）、入退室管理部１４１は、対応する在室フラグを記憶装置１３０から読み取り（ステップＳ１０３）、その値を確認する（ステップＳ１０４）。在室フラグの値が、社員２０２がオフィス２００から退室したこと、即ち、不在であることを示すものである場合（ステップＳ１０４でＮＯ）、入退室管理部１４１は、社員２０２が入室したと判断する（ステップＳ１０５）。在室フラグの値が、社員２０２がオフィス２００に入室したこと、即ち、在室中であることを示すものである場合（ステップＳ１０４でＹＥＳ）、入退室管理部１４１は、社員２０２が退室したと判断する（ステップＳ１０６）。いずれの場合においても、入退室管理部１４１は、判断結果を示す入退室信号を制御装置１４０の照明特定部１４２に対して送信するとともに、在室フラグの値を変更する。入退室信号は、上記判断結果に加えて、個人識別信号で示された社員番号を示すものとする。
【００１７】
このように、ステップＳ１０２〜Ｓ１０６（入退室管理ステップ）において、入退室管理部１４１は、カードリーダ１１０により入力が受け付けられた個人識別情報を受信し、当該個人識別情報を記憶装置１３０に記憶された個人識別情報１３１と照合することで、社員２０２を識別し、当該社員２０２が入退室したと判断する。入退室管理部１４１は、社員２０２を識別した場合、記憶装置１３０に記憶された個人在室情報１３２を参照することで、当該社員２０２が入室したのか退室したのかを判断するとともに、記憶装置１３０に記憶された個人在室情報１３２を更新する。
【００１８】
制御装置１４０の照明特定部１４２は、入退室管理部１４１から入退室信号を受信し、入退室信号で示された社員番号に対応する照明設定データを記憶装置１３０から読み込む。そして、照明特定部１４２は、その照明設定データから、入退室した社員２０２の机を７５０ルクス以上で照らすために使用する照明器具２０１の位置情報を獲得する（ステップＳ１０７、Ｓ１０８）。照明特定部１４２は、その位置情報を示す照明位置信号であって、当該照明器具２０１に対する所定の制御（例えば点滅制御）を行う命令情報を示す照明位置信号を制御装置１４０の照明制御部１４３に対して送信する。入退室信号で社員２０２が入室したことが示されている場合、照明位置信号が示す命令情報は、例えば照明器具２０１を点灯することを命令するものとなる。一方、入退室信号で社員２０２が退室したことが示されている場合、照明位置信号が示す命令情報は、例えば照明器具２０１を消灯することを命令するものとなる。
【００１９】
このように、ステップＳ１０７、Ｓ１０８（照明特定ステップ）において、照明特定部１４２は、記憶装置１３０に記憶された個人照明情報１３３を参照することで、入退室管理部１４１により入退室したと判断された社員２０２に対応する照明器具２０１を特定する。
【００２０】
制御装置１４０の照明制御部１４３は、照明特定部１４２から照明位置信号を受信し、照明位置信号で示された位置情報と命令情報に基づいて照明器具２０１に対して所定の制御を行う。例えば命令情報が照明器具２０１を点灯することを命令するものであれば、位置情報で特定される照明器具２０１に対して点灯制御を行う（ステップＳ１０９）。また、例えば命令情報が照明器具２０１を消灯することを命令するものであれば、位置情報で特定される照明器具２０１に対して消灯制御を行う（ステップＳ１１０）。
【００２１】
このように、ステップＳ１０９、Ｓ１１０（照明制御ステップ）において、照明制御部１４３は、照明特定部１４２により特定された照明器具２０１に対して所定の制御を行う。入退室管理部１４１により社員２０２が入室したと判断された場合、照明制御部１４３は、照明特定部１４２により特定された照明器具２０１を点灯する。一方、入退室管理部１４１により社員２０２が退室したと判断された場合、照明制御部１４３は、照明特定部１４２により特定された照明器具２０１を消灯する。
【００２２】
本実施の形態によれば、社員２０２の入室時に、当該室内を照らす複数の照明器具２０１のうち一部に対して自動的に点灯制御を行い、当該社員２０２の作業領域を適切な明るさに調整することが可能となる。また、本実施の形態によれば、社員２０２の退室時に、当該社員２０２の作業領域を照らしていた照明器具２０１に対して自動的に消灯制御を行うことが可能となる。
【００２３】
以上説明したように、本実施の形態において、照明制御システム１００は、建物を使用する個人や建物内の企業に雇用されている個人（社員２０２）の個人識別カード類（カード２０３）を読み取り装置（カードリーダ１１０）に読み込ませて入退出管理を行う機能部（制御装置１４０の入退室管理部１４１）と、予め各個人とその物（机や書類）に影響する照明器具２０１との位置関係を関連付けた情報（個人照明情報１３３）を獲得する機能部（制御装置１４０の照明特定部１４２）と、照明器具２０１をコントロールする機能部（制御装置１４０の照明制御部１４３）との間で信号（入退室信号、照明位置信号）を送受信することにより、個人の在・不在検知の結果を照明器具２０１の明るさコントロールに利用するものである。
【００２４】
本実施の形態によれば、不在信号の受け取りにより、その不在者位置の照明器具２０１を消灯して消費電力を削減することができる。また、本実施の形態によれば、人感センサに依存しないため、誤動作がおきにくい。また、人感センサを用いる場合には、１つの人感センサに対応する領域を間仕切りで２つ以上の領域に分けた場合、各領域に人感センサを設置する必要があるが、本実施の形態によれば、このような人感センサの受け持ち範囲を跨ぐ間仕切り変更時の配線盛り換え工事が不要となる。
【００２５】
以下では、設定用ＰＣ３００（情報処理装置）による照明設定データの設定方法について説明する。
【００２６】
まず、設定用ＰＣ３００の構成を図５に示す。
【００２７】
図５において、設定用ＰＣ３００は、照度計算部３０１、情報生成部３０２を備える。また、設定用ＰＣ３００は、記録媒体３５１、ＣＰＵ３５２、入力装置３５３、出力装置３５４、通信装置３５５などのハードウェアを備える。
【００２８】
記録媒体３５１は、例えば、フラッシュメモリ、磁気ディスク装置の磁気ディスクであり、オペレーティングシステム（以下、「ＯＳ」という）、プログラム群、ファイル群を記憶する。プログラム群には、照度計算部３０１、情報生成部３０２の機能を実行するプログラムが含まれる。ファイル群には、オフィス２００内における各社員２０２の作業領域の位置を示す個人位置データ、オフィス２００内の各照明器具２０１の位置を示す照明位置データ、各照明器具２０１の配光特性を示す配光データが含まれる。
【００２９】
ＣＰＵ３５２は、例えば、記録媒体３５１に記憶されたＯＳを動作させ、記録媒体３５１からプログラム群を読み出して実行する。
【００３０】
入力装置３５３は、例えば、キーボード、マウス、タッチパネル、通信ボードであり、ＣＰＵ３５２により実行されるプログラムに対するユーザからのデータの入力を受け付ける。
【００３１】
出力装置３５４は、例えば、ＣＲＴモニタやＬＣＤモニタの表示画面を有する表示装置、プリンタ装置、通信ボードであり、ＣＰＵ３５２によりプログラムが実行された結果を出力する。
【００３２】
通信装置３５５は、例えば、通信ボードであり、照明制御システム１００の制御ユニット１２０と接続し、制御ユニット１２０にデータを送信したり、制御ユニット１２０からデータを受信したりする。
【００３３】
照度計算部３０１は、記録媒体３５１に記憶された個人位置データと照明位置データと配光データとに基づいて、オフィス２００内の複数の照明器具２０１を全て消灯した状態から、照明器具２０１を各社員２０２の作業領域の中心に近い順に１つずつ点灯した場合における各社員２０２の作業領域の照度をＣＰＵ３５２で計算する。
【００３４】
情報生成部３０２は、個人照明情報１３３として、照度計算部３０１により計算された照度が所定の照度（例えば７５０ルクス）以上となったときに点灯している照明器具を各社員２０２と対応付ける照明設定データをＣＰＵ３５２で生成する。そして、情報生成部３０２は、照明設定データを通信装置３５５により照明制御システム１００の制御ユニット１２０に送信し、制御ユニット１２０の記憶装置１３０に記憶された照明設定データを更新する。
【００３５】
次に、設定用ＰＣ３００の動作を図６に示す。
【００３６】
ここでは、設定用ＰＣ３００は、図７に示す座席表と図８に示す照明器具配置平面図から各社員２０２に必要な照明器具２０１を自動的に特定するものとする。上記座席表は、位置データに相当し、社員２０２であるＡ〜Ｆ氏各個人の作業領域を示すものである。また、上記照明器具配置平面図は、照明位置データ及び配光データに相当し、照明器具２０１である器具１〜８各々の配置、及び、器具１〜８各々の出力光束による照度分布を示すものである。図８において、破線の楕円は器具１〜８それぞれを１台のみ点灯したときに照度が７５０ルクス以上となる領域を示す。また、斜線部は器具５及び器具６の２台のみを点灯したときに照度が７５０ルクス以上となる領域を示す。
【００３７】
図６では、例としてＥ氏の作業領域において７５０ルクス以上の照度を確保するために点灯する照明器具２０１を登録する動作を示しているが、Ａ〜Ｄ氏及びＦ氏の作業領域において７５０ルクス以上の照度を確保するために点灯する照明器具２０１を登録する動作も同様となる。
【００３８】
図６において、照度計算部３０１は、以下のシミュレーション処理をＣＰＵ３５２で実行する（照度計算ステップ）。
【００３９】
照度計算部３０１は、Ｅ氏の作業用照度を確保する照明器具２０１を特定するため、オフィス２００内の器具１〜８を消灯する（ステップＳ１５１）。そして、照度計算部３０１は、Ｅ氏の作業領域の中心に最も近い位置にある照明器具２０１である器具６を点灯し（ステップＳ１５２）、Ｅ氏の作業領域の最低照度が７５０ルクス以上になっているかどうかを判定する（ステップＳ１５３）。図８に示すように、器具６のみを点灯した状態では、Ｅ氏の作業領域の一部において最低照度が７５０ルクス未満となっているので（ステップＳ１５３でＮＯ）、照度計算部３０１は、次にＥ氏の作業領域の中心に最も近い位置にある照明器具である器具７を点灯し（ステップＳ１５２）、再びＥ氏の作業領域の最低照度が７５０ルクス以上になっているかどうかを判定する（ステップＳ１５３）。図８に示すように、器具６及び器具７を点灯した状態では、Ｅ氏の作業領域の全体において最低照度が７５０ルクス以上となっているので（ステップＳ１５３でＹＥＳ）、この状態、即ち、器具６及び器具７がＥ氏の作業用照度を確保する照明器具２０１であると特定できる。これにより、照度計算部３０１のシミュレーション処理は終了する。
【００４０】
上記のように、照度計算部３０１のシミュレーション処理により器具６及び器具７が特定されると、情報生成部３０２は、Ｅ氏の作業用照度を確保する照明器具２０１として器具６及び器具７を照明設定データに登録する（ステップＳ１５４：情報生成ステップ）。
【００４１】
図６のステップＳ１５１〜１５３は、シミュレーション処理ではなく、実際に人間又は自動制御装置が照明器具２０１を点灯・消灯して実施することもできる。また、各照明器具２０１の配光データがない場合は、実際に照明器具２０１を点灯したときの照度を照度センサで測定しながら実施してもよい。
【００４２】
図６のステップＳ１５３において、照度計算部３０１が、Ｅ氏の作業領域の全体において最低照度が設定照度である７５０ルクスを上回ると判定した場合、情報生成部３０２は、器具６及び／又は器具７を調光することにより減光して７５０ルクスを保つようにするという設定を照明設定データに登録してもよい。この照明設定データを用いる場合、制御装置１４０の照明特定部１４２は、照明器具２０１に対する所定の制御として、調光制御を行うことを命令する命令情報を示す照明位置信号を照明制御部１４３に対して送信することとなる。
【００４３】
図６のステップＳ１５１の前に、設定用ＰＣ３００が、座席表と照明器具配置平面図を表示装置の画面に表示し、各社員２０２が予め座席表と照明器具配置平面図を参照できるようにしてもよい。そして、各社員２０２が使用したい照明器具２０１を手動操作により選択し、登録できるようにしてもよい。この場合、設定用ＰＣ３００の情報生成部３０２は、マウスやタッチパネルで社員２０２から照明器具２０１の指定入力を受け付ける。そして、設定用ＰＣ３００の情報生成部３０２は、その社員２０２の作業用の照明器具２０１として、指定入力に係る照明器具２０１を照明設定データに登録する。
【００４４】
実施の形態２．
本実施の形態について、主に実施の形態１との差異を説明する。
【００４５】
本実施の形態では、図９に示すように、予め定められた第１の時刻（例えば始業時刻である午前８時）になると、照明制御システム１００は、オフィス２００内を照らす複数の照明器具２０１のうち、少なくとも一部の点灯制御及び調光制御を制御ユニット１２０で行い、各社員２０２の作業領域の照度が、予め定められた第１の照度（例えば７５０ルクス）より低く定められた第２の照度（例えば２５０ルクス）となるように調整する。その後、社員２０２がオフィス２００に入室すると、照明制御システム１００は、その社員２０２の作業領域を照らす照明器具２０１の調光制御を制御ユニット１２０で行い、その社員２０２の作業領域の照度が、上記第１の照度となるように調整する。そして、その後、社員２０２がオフィス２００から退室すると、照明制御システム１００は、その社員２０２の作業領域を照らす照明器具２０１の調光制御を制御ユニット１２０で行い、その社員２０２の作業領域の照度が、上記第２の照度となるように調整する。さらに、その後、上記第１の時刻より遅く定められた第２の時刻（例えば終業時刻である午後６時）になると、照明制御システム１００は、オフィス２００内を照らす複数の照明器具２０１全ての消灯制御を制御ユニット１２０で行う。
【００４６】
また、上記第２の時刻の後に、社員２０２がオフィス２００に入室すると、照明制御システム１００は、その社員２０２の作業領域を照らす照明器具２０１の点灯制御及び調光制御を制御ユニット１２０で行い、その社員２０２の作業領域の照度が、上記第１の照度となるように調整する。そして、その後、社員２０２がオフィス２００から退室すると、照明制御システム１００は、その社員２０２の作業領域を照らす照明器具２０１の消灯制御を制御ユニット１２０で行う。
【００４７】
図１０は、本実施の形態における（始業時刻から終業時刻までの間の）照明制御システム１００の動作を示すフローチャートである。
【００４８】
図１０において、ステップＳ２０１〜Ｓ２０６は、図２のステップＳ１０１〜Ｓ１０６と同様である。
【００４９】
ステップＳ２０５又はＳ２０６の後、制御装置１４０の照明特定部１４２は、入退室管理部１４１から入退室信号を受信し、入退室信号で示された社員番号に対応する照明設定データを記憶装置１３０から読み込む。そして、照明特定部１４２は、その照明設定データから、入退室した社員２０２の机を照らす照明器具２０１の位置情報を獲得する（ステップＳ２０７、Ｓ２０８）。照明特定部１４２は、その位置情報を示す照明位置信号であって、当該照明器具２０１に対する所定の制御（例えば調光制御）を行う命令情報を示す照明位置信号を制御装置１４０の照明制御部１４３に対して送信する。入退室信号で社員２０２が入室したことが示されている場合、照明位置信号が示す命令情報は、例えば照明器具２０１に対して第１の調光制御を行うこと、具体的には、照明器具２０１が出力する光束を予め定められた第１の光束に調節することを命令するものとなる。ここでは、上記第１の光束は、入室した社員２０２の机を略７５０ルクス（第１の照度）で照らすために照明器具２０１で必要な光束である。一方、入退室信号で社員２０２が退室したことが示されている場合、照明位置信号が示す命令情報は、例えば照明器具２０１に対して第２の調光制御を行うこと、具体的には、照明器具２０１が出力する光束を予め定められた第２の光束に調節することを命令するものとなる。ここでは、上記第２の光束は、入室した社員２０２の机を略２５０ルクス（第２の照度）で照らすために照明器具２０１で必要な光束である。
【００５０】
制御装置１４０の照明制御部１４３は、照明特定部１４２から照明位置信号を受信し、照明位置信号で示された位置情報と命令情報に基づいて照明器具２０１に対して所定の制御を行う。例えば命令情報が照明器具２０１に対して第１の調光制御を行うことを命令するものであれば、位置情報で特定される照明器具２０１が出力する光束を予め定められた第１の光束に調節する（ステップＳ１０９）。また、例えば命令情報が照明器具２０１に対して第２の調光制御を行うことを命令するものであれば、位置情報で特定される照明器具２０１が出力する光束を予め定められた第２の光束に調節する（ステップＳ１１０）。
【００５１】
このように、入退室管理部１４１により社員２０２が入室したと判断された場合、ステップＳ２０９（照明制御ステップ）において、照明制御部１４３は、当該社員２０２の作業領域の照度が予め定められた第１の照度となるように、照明特定部１４２により特定された照明器具２０１を調光する。一方、入退室管理部１４１により社員２０２が退室したと判断された場合、ステップＳ２１０（照明制御ステップ）において、照明制御部１４３は、当該社員２０２の作業領域の照度が予め第１の照度より低く定められた第２の照度となるように、照明特定部１４２により特定された照明器具２０１を調光する。
【００５２】
本実施の形態によれば、社員２０２の入退室時に、当該室内を照らす複数の照明器具２０１のうち一部に対して自動的に調光制御を行い、当該社員２０２の作業領域を適切な明るさに調整することが可能となる。
【００５３】
実施の形態３．
本実施の形態について、主に実施の形態１との差異を説明する。
【００５４】
実施の形態１では、照明制御システム１００は、オフィス２００において社員２０２が入退室する際に、社員２０２のカード２０３からカードリーダ１１０で個人識別信号を読み取るが、カードリーダ１１０以外の入力装置により個人識別信号を取得してもよい。カードリーダ１１０以外の入力装置とは、例えばカメラ、指紋センサ、静脈センサ、マイク、数字キー、キーボードなどである。
【００５５】
入力装置としてカメラを使用する場合、照明制御システム１００は、社員２０２の顔や眼球（虹彩）をカメラにより撮影し、顔や眼球の画像データを示す個人識別信号を取得する。この場合、制御ユニット１２０の記憶装置１３０は、個人識別情報１３１として、各社員２０２の顔や眼球の特徴を示すデータ（例えば、顔や眼球の画像データ）を記憶することとなる。
【００５６】
入力装置として指紋センサを使用する場合、照明制御システム１００は、社員２０２の指紋を指紋センサにより認識し、指紋の画像データを示す個人識別信号を取得する。この場合、制御ユニット１２０の記憶装置１３０は、個人識別情報１３１として、各社員２０２の指紋の特徴を示すデータ（例えば、指紋の画像データ）を記憶することとなる。
【００５７】
入力装置として静脈センサを使用する場合、照明制御システム１００は、社員２０２の掌の静脈を静脈センサにより認識し、静脈の画像データを示す個人識別信号を取得する。この場合、制御ユニット１２０の記憶装置１３０は、個人識別情報１３１として、各社員２０２の掌の静脈の特徴を示すデータ（例えば、掌の静脈の画像データ）を記憶することとなる。
【００５８】
入力装置としてマイクを使用する場合、照明制御システム１００は、社員２０２の声をマイクにより入力し、声の音声データを示す個人識別信号を取得する。この場合、制御ユニット１２０の記憶装置１３０は、個人識別情報１３１として、各社員２０２の声の特徴を示すデータ（例えば、声の音声データ）を記憶することとなる。
【００５９】
入力装置として数字キーやキーボードを使用する場合、照明制御システム１００は、社員２０２に例えば社員番号を数字キーやキーボードにより入力させ、社員番号を示す個人識別信号を取得する。この場合、制御ユニット１２０の記憶装置１３０は、実施の形態１と同様に、個人識別情報１３１として、各社員２０２の社員番号を記憶することとなる。
【００６０】
実施の形態４．
本実施の形態について、主に実施の形態１との差異を説明する。
【００６１】
本実施の形態では、各社員２０２が普段使用しない場所（建物内又はオフィス内において各社員２０２の作業領域でない領域）を使用したいときに、その場所の照明器具２０１を一時的に点灯させる（又は下限調光状態から全光点灯状態にする）ため、照明制御システム１００とともに、壁スイッチや人感センサを併用する。
【００６２】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００６３】
【図１】実施の形態１に係る照明制御システムの構成を示すブロック図である。
【図２】実施の形態１に係る照明制御システムの動作を示すフローチャートである。
【図３】実施の形態１における部屋の例を示す図である。
【図４】実施の形態１における部屋の例を示す図である。
【図５】実施の形態１に係る設定用ＰＣの構成を示すブロック図である。
【図６】実施の形態１に係る設定用ＰＣの動作を示すフローチャートである。
【図７】実施の形態１における位置データの例を示す図である。
【図８】実施の形態１における照明位置データ及び配光データの例を示す図である。
【図９】実施の形態２における照明制御の例を示す図である。
【図１０】実施の形態２に係る照明制御システムの動作を示すフローチャートである。
【符号の説明】
【００６４】
１００  照明制御システム、１１０  カードリーダ、１２０  制御ユニット、１３０  記憶装置、１３１  個人識別情報、１３２  個人在室情報、１３３  個人照明情報、１４０  制御装置、１４１  入退室管理部、１４２  照明特定部、１４３  照明制御部、２００  オフィス、２０１  照明器具、２０２  社員、２０３  カード、３００  設定用ＰＣ、３０１  照度計算部、３０２  情報生成部、３５１  記録媒体、３５２  ＣＰＵ、３５３  入力装置、３５４  出力装置、３５５  通信装置。
【図１】
0005264190.tif 000002
【図２】
0005264190.tif 000003
【図３】
0005264190.tif 000004
【図４】
0005264190.tif 000005
【図５】
0005264190.tif 000006
【図６】
0005264190.tif 000007
【図７】
0005264190.tif 000008
【図８】
0005264190.tif 000009
【図９】
0005264190.tif 000010
【図１０】
0005264190.tif 000011